(57)【特許請求の範囲】
【請求項１】
回転可能な歯科用バーであって、
被駆動部及び作業部を有する細長い本体部を備え、
前記被駆動部は、遠位端部に配置されて歯科用ハンドピース駆動部の駆動要素を受け入れる少なくとも１つのチャネルを有するシャンク部を含み、
前記チャネルから前記作業部に向かって延在するテーパー状の平坦な位置合わせ部を備える、歯科用バー。
【請求項２】
前記シャンク部に位置し、前記遠位端部と前記作業部との中間の周溝を更に備え、前記周溝は、歯科用ハンドピース内における軸方向の位置決め及び保持のために、前記歯科用ハンドピース内でチャックのデテントを受け入れるように構成されている、請求項１に記載の歯科用バー。
【請求項３】
前記歯科用バーは、バーチューブの内部ボア内に挿脱可能であり、前記バーチューブは、歯科用ハンドピースの駆動ヘッド内に回転可能に取り付けられる、請求項１に記載の歯科用バー。
【請求項４】
前記作業部は、遷移部及びツール部を更に備え、前記遷移部は、前記シャンク部と前記ツール部との間に位置する、請求項１に記載の歯科用バー。
【請求項５】
前記遷移部は、前記ツール部と前記被駆動部とをつなげており、前記ツール部から前記被駆動部にかけて外方にテーパー状になっている、請求項４に記載の歯科用バー。
【請求項６】
前記駆動要素は駆動ピンを備え、前記駆動ピンは前記バーチューブから回転トルクを伝達するように構成されている、請求項３に記載の歯科用バー。
【請求項７】
前記駆動要素が前記少なくとも１つのチャネルの少なくとも１つの対向する壁と係合することによって、トルクが前記バーチューブから伝達される、請求項３に記載の歯科用バー。
【請求項８】
前記駆動要素が一対の交差チャネルによって画定される４つの支柱のうちの少なくとも１つの支柱と係合することによって、回転時に前記バーチューブからトルクが伝達される、請求項３に記載の歯科用バー。
【請求項９】
前記交差チャネルは、前記シャンク部の前記遠位端部を横断し、前記一対の交差チャネルは概ね垂直に交差する、請求項８に記載の歯科用バー。
【請求項１０】
前記周溝は、前記歯科用バーを軸方向に位置決め及び保持するよう、その中に少なくとも１つのデテントを受け入れるように構成されている、請求項２に記載の歯科用バー。
【請求項１１】
前記シャンク部は、概ね円筒形であり、前記歯科用ハンドピースの前記駆動ヘッドに挿入可能である、請求項３に記載の歯科用バー。
【発明の詳細な説明】
【技術分野】
【０００１】
本発明は包括的には、歯科用ハンドピースに関する。本発明は、より詳細には、歯科用ハンドピースの、確実な駆動チャックとバーアレンジメント（arrangement）に関する。
【背景技術】
【０００２】
様々な歯科用ハンドピースが歯科技術において知られている。タービン駆動式ハンドピースが歯科医によって広く用いられている。歯科用ハンドピースは、ハンドルと、歯科用バーの回転部品を支持する駆動ヘッドとを備える。コネクター、例えばスイベルコネクターが、単一のフレキシブルコード内で結合されることが一般的である種々の給気導管、給水導管、給光導管及び給電導管にハンドピースを接続する。駆動ヘッドは、歯科用バー駆動アレンジメントを収容する。歯科用バー駆動アレンジメントは、歯科用バー保持マウントすなわちチャックと、ヘッド内に回転可能に取り付けられる、チャックを駆動するモーター又はタービンとから構成されることが一般的である。チャックは、回転のために歯科用バーを保持する。
【０００３】
歯科用バーは、チャックから取り外し可能であり、種々のサイズ及び種々の歯科手術を提供するために他の歯科用バーと交換可能である。既知のハンドピースにおいて、歯科用バーは、チャックによって、駆動アレンジメント内での軸方向及び径方向の移動並びに滑りを防ぐように維持される。歯科用バーをチャックに対して手動ロック及び手動解除するスクリューロックアレンジメント又は押しボタンロックアレンジメントが設けられ得る。
【０００４】
歯科用ハンドピースの製造業者は、歯科用ハンドピースから出力することができるワット数を増やしてきた。歯科用ハンドピースの電力が高いほど、歯科用バーに送出される総電力のパーセンテージが下がる可能性がある。重切削作業時にチャック内でバーの滑りが生じる可能性があり、その結果、手術の制御が失われ、切削手術中にバーのひびり振動が生じ、また、歯科手術おいて不可欠な精度が損なわれる。バーが滑ることにより、チャックによってバーシャンクの溝が摩耗し、バーとチャックとの間に干渉が生じ、バーをチャックから取り外すことが困難になる可能性がある。また、バーがチャックから「後退する」、すなわち、チャックにおける摩耗に起因してバーがチャックから軸方向に変位することにより、患者に危険な状況が起こる可能性がある。
【０００５】
さらに、高周波振動又は超音波振動により、バーシャンクがチャックに溶接する可能性がある。そのような意図しない溶接によって、バーを解放するのに押しボタンタイプのチャックに対して軸方向に加える必要がある力が非常に高くなり、その結果、チャック又はタービンの損傷が生じる可能性があり、また、ペンチ又は鉗子を用いてバーを取り外すことを必要とする可能性がある。
【０００６】
歯科用ハンドピースの従来技術のチャックはほとんど専ら、摩擦嵌合のみによって歯科用バーを保持するように設計されている。そのような構成の例が、特許文献１から４に見られる。そのような構成ではチャックとバーとの間のトルクの伝達は低いものしか可能ではなく、トルクが高ければバーが滑ることになる。現代の歯科用ハンドピースによって達成される高回転速度及び高トルクにおいて、軸方向及び回転方向の双方にバーが滑ることは、問題となる可能性がある。例えば、駆動部が回転し続ける一方でバーがロックされる、すなわち係止する場合に、バーが急に減速することによっても、回転方向に滑る可能性がある。回転中の駆動アセンブリと歯科用バーとの間の摩擦により、それらの両要素が経時にわたって著しい摩耗を生じる。摩擦熱により、通常は焼戻し熱処理材から作製される駆動スピンドル部品、特に、チャックの可撓性フリクションアームに、恒久的な損傷が引き起こされる可能性がある。損傷により、歯科用バーの回転滑り更には軸方向滑りとなる可能性があり、場合によっては、その結果、歯科用バーがハンドピースから意図せずに解放されることになる。高速回転時に歯科用バーが意図せずに解放されることにより、患者及び歯科医の双方に対して危害が生じる可能性がある。手術中にバー及び駆動アセンブリが摩耗し続けることにより、高価なハンドピース部品の定期的なメンテナンス及び修理が必要となる。
【先行技術文献】
【特許文献】
【０００７】
【特許文献１】米国特許第３，８６９，７９６号明細書
【特許文献２】米国特許第４，５９５，３６３号明細書
【特許文献３】米国特許第５，２７５，５５８号明細書
【特許文献４】米国特許第５，５４９，４７４号明細書
【発明の概要】
【発明が解決しようとする課題】
【０００８】
したがって、歯科用ハンドピース及び回転式歯科用器具から電力及びトルクの完全な伝達を提供するとともに切削効率を高めつつ、滑り及び後退を低減させる、歯科用ハンドピース及び回転式歯科用器具システムが望まれている。
【０００９】
開示されるシステム及び／又は方法の意図する利点は、これらの必要性のうちの１つ又は複数を満たすか、又は、他の有利な特徴を提供する。他の特徴及び他の利点は本明細書から明らかとなるであろう。開示される教示は、特許請求の範囲の範囲内にあるそれらの実施形態が、上述の必要性のうちの１つ又は複数を達成するかどうかにかかわらず、それらの実施形態に及ぶ。
【課題を解決するための手段】
【００１０】
本発明の一目的は、従来技術のハンドピース設計の少なくとも１つの不利益を排除又は軽減することである。
【００１１】
第１の態様では、本開示は、駆動ヘッドを有するハンドピースの歯科用バー駆動アレンジメントにおいて使用する歯科用バーを提供する。回転可能な歯科用バーは、被駆動部及び作業部を有する細長い本体部を備える。前記被駆動部は、歯科用ハンドピース駆動部の駆動要素を受け入れる少なくとも１つのチャネルが遠位端部に位置しているシャンク部を含む。
【００１２】
別の態様では、本開示は、歯科用ハンドピースのチャックアセンブリであって、バーチューブにおいて歯科用バーの溝と協働する横ピンを用いて、滑りを伴わない確実な回転駆動を歯科用バーに提供するチャックアセンブリを提供する。チャックアセンブリは、第１の内部ボアを有する中空の円筒形チューブ部、及び、第２の内部ボアを有するチャック部を含む。前記チャック部は、前記第１の内部ボア内に支持され、共通軸回りに前記チューブ部とともに共回転する（co-rotational）。前記チャック部は、前記第２の内部ボアを画定する環状本体部を備える。前記環状本体部は、内部で円筒形ツールを保持して支持する。駆動要素が、前記チューブ部の第１の端部において前記第１の内部ボアを横断して、前記チューブ部の第１の端部に挿入される駆動ピンを含む。前記駆動ピンは、前記第２の内部ボアに挿入可能な回転ツールの遠位端部と協働して該器具にトルクを与える。
【００１３】
更に別の態様では、本開示は、歯科用ハンドピースを提供する。該歯科用ハンドピースは、ハンドルと、ツール支持型駆動ヘッドと、給気部、給水部又は給電部に該ハンドピースを接続するスイベルコネクターとを備える。前記駆動ヘッドは、第１の内部ボアを有する中空の円筒形チューブ部、及び、第２の内部ボアを有するチャック部を備える、歯科用ハンドピースのチャックアセンブリを含む。前記チャック部は、前記第１の内部ボア内で支持され、共通軸回りに前記チューブ部とともに共回転する。前記チャック部は、前記第２の内部ボアを画定する環状本体部を備える。前記環状本体部は、内部で円筒形ツールを保持して支持する。駆動要素が、前記チューブ部の第１の端部において前記第１の内部ボアを横断して、前記チューブ部の第１の端部に挿入される駆動ピンを含む。前記駆動ピンは、前記第２の内部ボアに挿入可能な回転ツールの遠位端部と協働して該ツールにトルクを与える。
【００１４】
本発明の他の態様及び特徴は、添付図面と併せて本発明の特定の実施形態の以下の記載を検討すれば、当業者には明らかとなるであろう。
【図面の簡単な説明】
【００１５】
【図１】例示的な歯科用ハンドピースを示す。
【図２】本発明の歯科用バーすなわち回転ツールの種々の立面図を示す。
【図２Ａ】本発明の歯科用バーすなわち回転ツールの種々の立面図を示す。
【図２Ｂ】本発明の歯科用バーすなわち回転ツールの種々の立面図を示す。
【図２Ｃ】本発明の歯科用バーすなわち回転ツールの種々の立面図を示す。
【図３】図２の３−３の線に沿った歯科用バーの端部面図を示す。
【図４】歯科用バーを解放可能に保持するチャックアセンブリの断面図を示す。
【図４Ａ】図４のチャックアセンブリの別の断面図を示す。
【図５】図４のチャックアセンブリの分解図を示す。
【図６】駆動ヘッドに取り付けられた例示的なチャックアセンブリの断面図を示す。
【発明を実施するための形態】
【００１６】
本発明による歯科用バーは、ハンドピースチャックとともに用いるように意図されている。ハンドピースチャックは、環状本体部と、この本体部から延びる、スロットによって隔たれている複数のフィンガースプリングとを備える概ね円筒形の部材である。チャックは、軸方向歯科用バー受け入れボアを有する。フィンガースプリングは、弾性変形可能であり、シャンクの周溝、すなわち歯科用バーの被駆動部と連結してボアに入る、デテントすなわち係合部材を有する。歯科用バーが挿入されると、フィンガースプリングのデテントがシャンクの周溝と係合して、歯科用バーをボア内に保持する。チャック解除部及びバーチューブに挿通される駆動ピンは、チャック及び歯科用バーに回転運動を与える。歯科用バーは、バーチューブに完全に挿入されると、駆動ピンを部分的に包囲するように、対向する支柱によって画定される半円形溝を有する。チャックは、フィンガースプリングを選択的に押し離して歯科用バーを解放する楔部を更に有する。駆動部から回転可能な歯科用バーへ直接のトルク伝達を可能にする、種々の歯科用バー駆動アレンジメントが、本発明によって意図される。
【００１７】
本発明による、歯科用バーの確実な回転駆動アセンブリは、回転可能な歯科用バーと、歯科用バーを解放可能に支持する歯科用バー支持部材とを備える。歯科用バー支持部材は、駆動ヘッド内での同軸回転のために、駆動ヘッドに挿入可能である。歯科用バーは、回転軸を有する歯科用バー本体を有しており、歯科用バー支持部材に挿入される被駆動端部を有する被駆動部と、使用時に駆動ヘッドから突出する作業部とに分かれている。歯科用バー支持部材は、歯科用バーの被駆動部を同軸的に受け入れるとともに所定の挿入深さにおいて支持する歯科用バー通路を有する。
【００１８】
本発明をここで、改良された歯科用バー駆動アレンジメント及び歯科用バーに関する本発明の特定の好ましい実施形態を参照しながら、より詳細に記載する。歯科用バー支持部材は、高速タービン駆動式歯科用ハンドピースにおいて使用する駆動スピンドル等の駆動スピンドルである。以下で、高速歯科用ハンドピース用の歯科用バーと駆動スピンドルとに対する特定の言及を行うが、本発明の構造上の特徴及び機能上の特徴は全て、一般の回転可能な歯科用ツール及び医療用ツール、並びに医療用ハンドピース及び歯科用ハンドピース、また、高速回転ツールを支持する他のハンドピースに等しく適用可能であることが当業者には明らかとなるであろう。
【００１９】
図１に示されているような例示的な歯科用ハンドピース１０が一般的に、ハンドル２０と、歯科用バー支持型駆動ヘッド１００と、給気部、給水部及び場合によっては給電部にハンドピースを接続するスイベルコネクター１２とを備える。ハンドピース１０の近位端部における継手１０２により、可撓性供給接続部から所要のリソースの供給が容易になる。継手１０２はシール（図示せず）を有しており、シールは通常、供給され得る空気及び／又は電力から水を隔離するように継手１０２の円筒形部に位置決めされる。可撓性供給接続部２４は通常、継手１０２に取り付けるフレキシブルホースである。供給接続部２４は、継手１０２を介して空気、水及び電気をハンドピース１０に供給する。ねじリングを用いるホースコネクター等の可撓性供給端部が、可撓性供給部に付属していることが一般的であり、継手供給端部と嵌合するように構成されているので、適用可能なＩＳＯ規格も満たす。継手は、ハンドピースが歯科専門医によって動かされる際に回転するスイベル継手とすることができ、そのため、継手及び可撓性の供給接続部の回転運動は、ハンドピースの回転運動とは実質的に独立しており、それによって、歯科専門医が患者の口腔内でハンドピースを操作する際に、或る程度の動きの自由を歯科専門医に提供する。駆動ヘッド１００は、以下でより詳細に説明するように、歯科用バー３０を受け入れる。
【００２０】
図２を参照すると、歯科用バー３０が、駆動ヘッド１００に回転可能に取り付けられているバーチューブ４６（例えば、図４を参照）の内部ボア内に挿脱可能である。一実施形態では、歯科用バー３０は、バーシャンク３４に位置するヘッド部３２と、遷移部３６と、ツール部３８とを有する。ヘッド部３２は、対向する壁すなわち支柱４２（例えば、図３を参照）によって画定される１つ又は複数のチャネル４０を有する。チャネル４０は、シャンク部３４の頂部を横断し、確実な駆動ピン７２（例えば、図４を参照）を受け入れる。少なくとも１つの実施形態では、任意選択的なテーパー状の平坦部３３を用いて、バーチャネル４０と駆動ピン７２との間の迅速な位置合わせを提供することができる。平坦部３３は、チャック５０に挿入されると、フィンガースプリング５６によって付勢されて駆動ピン７２と位置合わせさせる。
【００２１】
好ましい実施形態では、図２Ａは、図２に実質的に示されているような歯科用バー３０を示す。この歯科用バー３０は、バー３０を軸方向に位置決めする更なる特徴部である溝７８を有する。溝７８は、バー３０がチャック５０に挿入されると、デテント６０（図４Ａ）と連結する。別の好ましい実施形態では、図２Ｂは、図２に実質的に示されているような歯科用バー３０を示す。この歯科用バー３０は、更なる特徴部である肩部７９とテーパー面８１とを有する。図２Ｃは、任意選択的な溝７８を有する歯科用バー３０の一例を示し、ここでは、平坦部３３が省かれており、バー３０は断面全体が円形である。
【００２２】
図４及び図４Ａを参照すると、駆動ヘッド１００は、軸４８回りに回転する歯科用バー３０を駆動ヘッド１００内に保持するように配置されているチャック５０を収容する、概ね円筒形の中空バーチューブ４６を有し、駆動ヘッド１００内に回転可能に取り付けられているとともに、通常はモーター又はタービンであるトルク供給駆動部４４を備える。バーチューブ４６及びチャック５０は、当該技術において知られている任意の手段によって、例えば、チャック５０をバーチューブ４６内に圧入又は溶接することによって、駆動ヘッド１００内に保持することができる。
【００２３】
ここで図２及び図３を参照すると、歯科用バー３０等の歯科用バーが、歯科用ハンドピース１０の駆動ヘッド１００から駆動トルクを受けるようにハンドピース１０の駆動ヘッド１００に挿入される概ね円筒形のシャンク部３４と、手術状態においてハンドピース１０の駆動ヘッド１００から突出する遷移部３６とに分割されている、細長い本体５２を有する。遷移部３６は、歯科処置（図示せず）時に歯の表面と接触するツール部３８を有する。通常は歯科医であるユーザーは、遷移部３６のツール部３８の長さ及び構造が様々である一揃いのバーを購入せねばならない。バー３０は、駆動ヘッド１００内のバーチューブ４６に概ね挿入され、回転軸４８回りにバーチューブ４６とともに回転するように、チャック５０によって内部で取り外し可能に支持される。
【００２４】
図４及び図４Ａに示されているように、好ましい実施形態の歯科用バー駆動アレンジメントは、バー３０を保持するチャック５０を有する。チャック５０は、環状本体部５４と、本体部５４から延びる複数のフィンガースプリング５６とを備える。フィンガースプリング５６は、スロット５８によって隔てられている。フィンガースプリング５６は、回転軸４８に向かってフィンガースプリング５６の遠位端部５７から径方向内側に突出するデテント６０を有する。図４及び図４Ａに示されている実施形態では、２つのフィンガースプリング５６があるが、本開示の範囲内において、３つ、４つ又はそれよりも多くのフィンガースプリングを用いることもできる。フィンガースプリング５６は、バーチューブ４６の中空ボア６２内にスペース６４を提供するように、また、フィンガースプリング５６が楔部６６に衝当したときに外側に撓むよう、フィンガースプリング５６の可撓性を提供するように、内方にテーパー状になっている。楔部６６は、環状のチャック解除要素６８から延びる。チャック解除要素６８は、バーチューブ４６の頂部に載置又は浮設されている。フィンガースプリング５６は、チャック解除要素６８を楔部６６と接触させて支持する。肩部７０が、楔部６６に隣接したチャック解除要素６８から径方向外側に延びる。肩部７０は、第１の端部７４に隣接する内部ボア６２を肩部７０の外径よりも小さい径に縮小している、バーチューブ４６の内側肩部７６と協働し、バーチューブの端部７４の方向へのチャック解除要素６８の軸方向移動を制限する。
【００２５】
好ましい実施形態では、バー３０は、ヘッド部３２に隣接する任意選択的なデテント溝７８を有する。溝７８は、バー３０がバーチューブ４６に挿入されると、フィンガースプリング５６のデテント６０と係合し、バー３０をバーチューブ４６に対して軸方向位置に保持する。駆動ピン７２が、チャック解除部６８を貫通しているピン孔８０を横断する。駆動ピン７２は、ピン孔８０を通ってバーチューブ４６の壁に貫入し、駆動ピン７２の両端部がバーチューブ４６と摩擦係合する。バーチューブ４６内の所定位置になると、バーチューブ４６の直径方向に対向する両側における孔８２が駆動ピン７２を受け入れ、駆動ピン７２をバーチューブ４６内で静止状態に保つ。リング９２（図５）が駆動ピン７２をバーチューブ４６内に保持する。
【００２６】
バー３０がバーチューブ４６に軸方向に挿入されると、フィンガースプリング５６は、遠位端部５７において外側に撓み、溝７８がデテント６０と位置合わせする際にデテントに径方向の力を加えることにより、デテント６０を溝７８にロックし、バー３０の軸方向位置を保持する。ヘッド部３２内のチャネル４０は、駆動ピン７２と協働し、バーチューブ４６がヘッド部１００内で回転する際に支柱４２が駆動ピン７２に干渉するように、駆動ピン７２を部分的に囲む。したがって、直接の、すなわち確実な駆動回転力が、バーチューブ４６から支柱４２を介してバー３０に与えられる。ここでも同様に、支柱４２は、図示のようにヘッド部３２の一対の直交する溝の周囲ではなく、ヘッド部３２を横断する単一の溝の周囲に構成してもよいことに留意すべきである。このようにして、駆動ピン７２は、バーチューブ４６に対する歯科用バー３０のいかなる滑りも防止する。
【００２７】
バーチューブ４６は、バーチューブ４６の第２の端部７５に位置決めされるパイロットブッシュ８４を有する。パイロットブッシュ８４は、ボア６２内でチャック本体５４に隣接又は当接する。摩擦リングが、レーザー溶接部８６又は他の適した締結具によってバーチューブ４６内の所定位置に固定される。パイロットブッシュ８４により、標準的な歯科用バー、すなわち、溝４０又は支柱４２が端部に形成されない歯科用バーが許容される。パイロットブッシュ８４は、レーザー溶接部８６及びチャック５０によってボア開口内に固定される。パイロットブッシュ８４は、歯科用バー４６に対する嵌合公差が僅かである内部ボア（図示せず）を有し、バーが高速度で回転しているときのひびり振動を最小限に抑える。一実施形態では、バーブッシュ８４は、ブッシュ８４及びチャック５０の摩耗を防止するようにカーバイド又は他の硬質材料から作製することができる。標準的な歯科用バーを、駆動ピン７２によって規定される深さまでバーチューブ４６に挿入することができる。
【００２８】
標準的なバーは、チャック５０に挿入されると、駆動ピン７２に当接し得るが、バー３０の確実な駆動に必要な干渉はもたらさない。また、標準的な歯科用バーは、デテント溝７８を有しても有しなくてもよい。デテント溝７８を有しない標準的な歯科用バーは、軸方向の所定位置にロックせず、代わりに、標準的な歯科用バーにおける摩擦把持に頼って回転トルクを提供する。したがって、そのような標準的な歯科用バーは、従来の歯科用ハンドピース及び駆動部において一般的であるように、より大きな把持力と、バーをチャックから解放するのにより大きな解放力とを必要とする。
【００２９】
チャネル４０を介してバー３０に確実な駆動を提供する駆動ピン７２によって、滑りを防止するのにチャック５０に頼る必要がない。また、デテント６０と連結するデテント溝７８により、バー３０の軸方向移動が制限され、チャック４６は単に、バーがボア６２から「後退する」ことを防止する補助具とすることができる。歯科用ハンドピースのこの構成は、押しボタン式解除に加えられる力を劇的に減少させる手段を提供する。従来技術の解除可能なチャックアレンジメントにおいて歯科用バーを解放するのに必要とされる力は、１０ポンド〜１２ポンドの範囲の力であり得るが、溝７８（図２Ａ）又はテーパー８１（図２Ｂ）を有する歯科用バー４６とともに使用される、開示されているチャックアセンブリ５０は、バー３０を解放するのに、僅かな力、例えば、２ポンド〜４ポンドの範囲の力しかチャック解除部６８に加える必要がない。
【００３０】
次に図５及び図６を参照すると、歯科用バー３０とチャック５０とのアレンジメントの分解図が示されている。単数又は複数のチャネル４０を有するバー３０が、ボールベアリングアセンブリ８８及びシールリング８９に挿通されてチャック５０のボア６２内に入る。摩擦リング８４は、ベアリングアセンブリ８８の一体部であり、例えば、ボールベアリングアセンブリ８８の内輪部を提供することができるか、又は、ボールベアリングアセンブリ８８に隣接して位置決めすることができる。チャック５０及びチャック解除部６８は、バーチューブ４６の対向端部に挿入され、チャック解除部６８は、横ピン７２によってバーチューブ４６と連結される。挿入端から駆動ピン７２の外面までのバーチューブ４６の長さが、チャネル４０の略最低地点までのシャンク部３４の長さと対応することで、バーチューブ４６の回転時に支柱４２が駆動ピン７２と係合することが可能になる。バーチューブ４６は、駆動部４４によって駆動され、駆動部４４は、上述したように、例えば、空気圧タービン若しくは電気モーター、又は他の原動機とすることができる。駆動部４４は、バーチューブ４６の外周に連結される。第２のボールベアリングアセンブリ９０が、バーチューブ４６の第２の端部に隣接してバーチューブ４６を回転可能に支持する。
【００３１】
図６を参照すると、駆動ヘッド１００内の所定位置に圧入されたチャック５０及びバーチューブ４６が示されている。押しボタンアレンジメント９２が押下されると、チャック解除部６８と協働してバー３０をバーチューブ４６から解放する。押しボタンアレンジメント９２は、ハンドピース駆動ヘッド１００の通常運転時に、押しボタンアレンジメント９４を後退させてバーチューブ４６又はチャック解除部から離す、ばね９６、例えば板ばね又はコイルばねを有することができる。
【００３２】
図に示されているとともに本明細書において記載されている例示的な実施形態が現時点で好ましいが、これらの実施形態は、単なる例として提供されていることを理解すべきである。本願の範囲から逸脱することなく、例示的な実施形態の設計、動作条件及び配置において、他の置換、変更、変形及び省略を行うことができる。したがって、本願は、特定の実施形態に限定されず、添付の特許請求の範囲の範囲内にある様々な変更形態に及ぶ。本明細書において用いられている用語及び術語は、単なる説明のものであり、限定的であるものとみなされるべきではないことも理解すべきである。
【００３３】
種々の例示的な実施形態において示されているような本願の構造及び配置は、単に例示的であることに留意することが重要である。本発明の或る特定の特徴及び実施形態のみが本出願において図示及び記載され、当業者は、特許請求の範囲に記載されている主題の新規な教示及び利点から実質的に逸脱することなく、多くの変更及び変形（例えば、種々の要素のサイズ、寸法、構造、形状及び割合、パラメーター、例えば温度、圧力等の値、取付け配置、材料の使用、向き等における変更）を想起することができる。例えば、一体形成されるものとして示されている部材は、複数の部品又は要素から構成することができ、それらの要素の位置は逆であっても別様に様々であってもよい。個々の要素の特性若しくは数又は位置は変えても様々としてもよい。どの処理ステップ又は方法ステップの順又はシーケンスも、代替的な実施形態に応じて様々としても順序変更してもよい。したがって、添付の特許請求の範囲は、本発明の真の趣旨内にあるような全ての変更及び変形を包含するように意図されることを理解されたい。さらに、例示的な実施形態の詳細な説明を提示するにあたり、実際の実施態様の特徴（すなわち、本発明を実施する、現時点で想定される最良の形態に関連のない特徴、又は特許請求されている発明の実施可能性に関連のない特徴）の全てが記載されているわけではない可能性がある。任意のエンジニアリング又は設計プロジェクトにおけるような任意の実際の実施態様の開発において、多くの実施態様に特有の決定を行うことができることが理解されるべきである。そのような開発努力を行うことは、複雑かつ時間消費的である可能性があるが、それにもかかわらず、過度の実験を伴うことなく、本開示の利益を有する当業者にとって、日常的な設計、作製及び製造の務めであろう。
【図１】
0006007418.tif 000002
【図２】
0006007418.tif 000003
【図２Ａ】
0006007418.tif 000004
【図２Ｂ】
0006007418.tif 000005
【図２Ｃ】
0006007418.tif 000006
【図３】
0006007418.tif 000007
【図４】
0006007418.tif 000008
【図４Ａ】
0006007418.tif 000009
【図５】
0006007418.tif 000010
【図６】
0006007418.tif 000011